(57)【要約】【課題】ユーザの必要とする処理結果が１回のスキャン処理により取得することが可能な画像管理方法および装置を提供する。【解決手段】読取操作ＵＩ２から原稿読取部３において原稿を読み取った際に再印刷用の画像データと電子データとを保存する場合、原稿読取部３において読み取ったオリジナル（コピー品質）の画像データを画像データ保存部６の再印刷用のファイルに保存するとともに、オリジナルの画像データを電子データに変換して画像データ保存部６の電子データ用のファイルに保存する。【選択図】　図１
2004112513.tif 000002
【特許請求の範囲】
【請求項１】
読み取った画像データを保存する画像管理方法において、
原稿を読み取る際に、指示された読取条件に従って画像データを読み取るとともに、予め定めた基本読取条件に従って画像データを読み取り、
前記基本読取条件に従った画像データを電子フォーマットに変換し、
前記基本読取条件に従った画像データと前記電子フォーマットの画像データとを、前記読取条件に従った画像データと関連付けて保存する
ことを特徴とする画像管理方法。
【請求項２】
前記読取条件が拡大／縮小等のサイズに関する条件である場合、原稿を読み取る際に、指示されたサイズに従って画像データを読み取るとともに、前記原稿と等倍の画像データを読み取り、該読み取った等倍の画像データを電子フォーマットに変換する
ことを特徴とする請求項１記載の画像管理方法。
【請求項３】
前記読取条件が白黒処理である場合、原稿を読み取る際に、白黒処理した画像データを読み取るとともに、前記原稿をカラー処理した画像データを読み取り、該読み取ったカラーの画像データを電子フォーマットに変換する
ことを特徴とする請求項１記載の画像管理方法。
【請求項４】
カラーの画像データを読み取った際に、前記カラーの画像データから白黒の画像データに変換し、該変換した白黒の画像データを電子フォーマットに変換する
ことを特徴とする請求項１記載の画像管理方法。
【請求項５】
前記画像データを電子フォーマットに変換する際に、解像度を変換する
ことを特徴とする請求項１記載の画像管理方法。
【請求項６】
読み取った画像データを保存する画像管理装置において、
原稿を読み取る際の画像データの読取条件を指示する読取条件指示手段と、
前記読取条件指示手段で指示した読取条件に従って画像データを読み取るとともに、予め定めた基本読取条件に従って画像データを読み取る読取制御手段と、
前記基本読取条件に従った画像データを電子フォーマットに変換する変換手段と、
前記基本読取条件に従った画像データと前記電子フォーマットの画像データとを、前記読取条件に従った画像データと関連付けて保存する保存管理手段と
を具備することを特徴とする画像管理装置。
【請求項７】
前記読取条件が拡大／縮小等のサイズに関する条件である場合、
前記読取制御手段は、指示されたサイズに従って画像データを読み取るとともに、前記原稿と等倍の画像データを読み取り、
前記変換手段は、前記読取制御手段で読み取った等倍の画像データを電子フォーマットに変換する
ことを特徴とする請求項６記載の画像管理装置。
【請求項８】
前記変更処理は、前記読取条件が白黒処理である場合、
前記読取制御手段は、白黒処理した画像データを読み取るとともに、前記原稿をカラー処理した画像データを読み取り、
前記変換手段は、前記読取制御手段で読み取ったカラーの画像データを電子フォーマットに変換する
ことを特徴とする請求項６記載の画像管理装置。
【請求項９】
前記変換手段は、
前記読取制御手段で読み取ったカラーの画像データを白黒の画像データに変換し、該変換した白黒の画像データを電子フォーマットに変換する
ことを特徴とする請求項６記載の画像管理装置。
【請求項１０】
前記変換手段は、
前記画像データを電子フォーマットに変換する際に、解像度を変換する
ことを特徴とする請求項６記載の画像管理装置。
【発明の詳細な説明】
【０００１】
【発明の属する技術分野】
本発明は、画像管理方法および装置に関し、特に、画像の再利用を有効に且つ効率良く行うことができる画像管理方法および装置に関する。
【０００２】
【従来の技術】
一度印刷した画像を必要に応じて再印刷したいといった要求がある。このような要求に応える方法として、従来からいくつかの技術が提案されている。
【０００３】
原稿コピー時に画像データを保存し、当該現行の再コピー・印刷を行う際には、保存している画像データを再利用する技術が提案されている（例えば、特許文献１参照。）。
【０００４】
しかし、上記技術では、原稿コピー時に指定された読み取り条件で形成した画像データをそのまま保存するため、拡大・縮小等が指定された場合には、拡大・縮小等の処理が行われた画像データが保存されてしまう。
【０００５】
そこで、上記問題を解決するため、原稿コピー時に単数または複数の画像データを文書単位にログファイルとともに保存し、ログファイルにより各文書（画像データ）の情報を管理することで、同一文書に対する異なる条件で作成された画像データのフォーマット変換等の再利用を容易にする技術が提案されている（例えば、特許文献２参照。）。
【０００６】
また、１回のスキャンによりスキャンファイル作成と、画面表示用の画像（サムネール）を独立の解像度で作成する技術が提案されている（例えば、特許文献３参照。）。
【０００７】
【特許文献１】
特開２００１−１５４５４１号公報
【特許文献２】
特開２００２−６３００９号公報
【特許文献３】
特開平５−６３９２１号公報
【０００８】
【発明が解決しようとする課題】
しかし、特許文献２に記載されている技術は、保存するファイルの管理方式に関するものであり、保存するファイルを作成する際（原稿コピー時のファイル保存）には、フォーマット変換およびそれに類するパラメータを指定できないため、ファイル保存後にフォーマット変換により電子ファイル化する場合には、電子ファイル化する画像の品質はファイル保存時にどのような保存方法を指定したかに依存してしまう。
【０００９】
まら、特許文献３に記載されている技術では、同時に複数のスキャンファイルの作成を実行することができず、ファイル保存処理の利便性を向上したものではない。
【００１０】
そこで、本発明は、ユーザの必要とする処理結果が１回のスキャン処理により取得することが可能な画像管理方法および装置を提供することを目的とする。
【００１１】
【課題を解決するための手段】
上記目的を達成するため、請求項１の発明は、読み取った画像データを保存する画像管理方法において、原稿を読み取る際に、指示された読取条件に従って画像データを読み取るとともに、予め定めた基本読取条件に従って画像データを読み取り、前記基本読取条件に従った画像データを電子フォーマットに変換し、前記基本読取条件に従った画像データと前記電子フォーマットの画像データとを、前記読取条件に従った画像データと関連付けて保存することを特徴とする。
【００１２】
また、請求項２の発明は、請求項１の発明において、前記読取条件が拡大／縮小等のサイズに関する条件である場合、原稿を読み取る際に、指示されたサイズに従って画像データを読み取るとともに、前記原稿と等倍の画像データを読み取り、該読み取った等倍の画像データを電子フォーマットに変換することを特徴とする。
【００１３】
また、請求項３の発明は、請求項１の発明において、前記読取条件が白黒処理である場合、原稿を読み取る際に、白黒処理した画像データを読み取るとともに、前記原稿をカラー処理した画像データを読み取り、該読み取ったカラーの画像データを電子フォーマットに変換することを特徴とする。
【００１４】
また、請求項４の発明は、請求項１の発明において、カラーの画像データを読み取った際に、前記カラーの画像データから白黒の画像データに変換し、該変換した白黒の画像データを電子フォーマットに変換することを特徴とする。
【００１５】
また、請求項５の発明は、請求項１の発明において、前記画像データを電子フォーマットに変換する際に、解像度を変換することを特徴とする。
【００１６】
また、請求項６の発明は、読み取った画像データを保存する画像管理装置において、原稿を読み取る際の画像データの読取条件を指示する読取条件指示手段と、前記読取条件指示手段で指示した読取条件に従って画像データを読み取るとともに、予め定めた基本読取条件に従って画像データを読み取る読取制御手段と、前記基本読取条件に従った画像データを電子フォーマットに変換する変換手段と、前記基本読取条件に従った画像データと前記電子フォーマットの画像データとを、前記読取条件に従った画像データと関連付けて保存する保存管理手段とを具備することを特徴とする。
【００１７】
また、請求項７の発明は、請求項６の発明において、前記読取条件が拡大／縮小等のサイズに関する条件である場合、前記読取制御手段は、指示されたサイズに従って画像データを読み取るとともに、前記原稿と等倍の画像データを読み取り、前記変換手段は、前記読取制御手段で読み取った等倍の画像データを電子フォーマットに変換することを特徴とする。
【００１８】
また、請求項８の発明は、請求項６の発明において、前記変更処理は、前記読取条件が白黒処理である場合、前記読取制御手段は、白黒処理した画像データを読み取るとともに、前記原稿をカラー処理した画像データを読み取り、前記変換手段は、前記読取制御手段で読み取ったカラーの画像データを電子フォーマットに変換することを特徴とする。
【００１９】
また、請求項９の発明は、請求項６の発明において、前記変換手段は、前記読取制御手段で読み取ったカラーの画像データを白黒の画像データに変換し、該変換した白黒の画像データを電子フォーマットに変換することを特徴とする。
【００２０】
また、請求項１０の発明は、請求項６の発明において、前記変換手段は、前記画像データを電子フォーマットに変換する際に、解像度を変換することを特徴とする。
【００２１】
【発明の実施の形態】
以下、本発明に係わる画像管理方法および装置の実施の形態について添付図面を参照して詳細に説明する。
【００２２】
図１は、本発明に係わる画像管理装置１の機能的な構成の一例を示す図である。
【００２３】
図１に示すように、画像管理装置１は、読取操作ＵＩ（ユーザインタフェイス）２、原稿読取部３、原稿読取／出力制御部４、出力部５、画像データ保存部６、ファイル管理部７、ファイル操作ＵＩ８から構成されている。
【００２４】
ここで、読取操作ＵＩ２は、原稿に対してコピー（プリント）またはファイル保存の指定等を行い、原稿読取／出力制御部４に原稿の読み取り開始を指示する。
【００２５】
また、原稿読取部３は、原稿読取／出力制御部４からの指示により原稿を単数または複数種類の画像データとして読み込む。
【００２６】
また、原稿読取／出力制御部４は、読取操作ＵＩ２の指示により原稿読取部３で読み取った画像データを出力部に出力し、画像データをファイルとして画像データ保存部６に保存し、画像データを読取操作ＵＩ２から指定されたフォーマットの電子データに変換し、画像データとともに電子データをファイルとして画像データ保存部６に保存する。
【００２７】
また、ファイル管理部７は、ファイル操作ＵＩ８によりデータ保存部６からファイルを呼び出し、ユーザに対してファイル情報の表示またはファイルの取得等の機能を提供する。
【００２８】
また、ファイル操作ＵＩ８は、画像データ保存部６に保存されたファイルのリスト表示、電子データのフォーマット変換、ファイルの取得等を行う。
【００２９】
図２は、原稿読取部３で読み取った画像データを画像データ保存部６に保存する際に原稿読取／出力制御部４が行う動作について説明する図である。
【００３０】
図２（ａ）は、読取操作ＵＩ２から原稿読取部３において原稿９を読み取った際に再印刷用の画像データと電子データとを保存する場合を示す。ここで、原稿読取部３において読み取ったオリジナル（コピー品質）の画像データ１０を画像データ保存部６の再印刷用のファイル１２に保存するとともに、オリジナルの画像データ１０を電子データ１１に変換して画像データ保存部６の電子データ用のファイル１３に保存する。
【００３１】
また、図２（ｂ）は、読取操作ＵＩ２から拡大・縮小またはＮｕｐ等のサイズ変更を行って出力するように指示された場合を示す。ここで、原稿読取部３においてサイズ変更した画像データ１４と等倍（サイズ変更を行わない）の画像データ１５とを読み取り、サイズ変更した画像データ１４を画像データ保存部６の再印刷用のファイル１２に保存し、等倍の画像データ１５を画像データ保存部６の等倍用のファイル１７に保存するとともに、等倍の画像データ１５を電子データ１６に変換して画像データ保存部６の電子データ用のファイル１３に保存する。
【００３２】
なお、読取操作ＵＩ２から白黒の画像データを出力するように指示された場合、図２（ｂ）と同様に、原稿読取部３において白黒の画像データとカラーの画像データとを読み取り、白黒の画像データを画像データ保存部６の再印刷用のファイル１２に保存し、カラーの画像データを画像データ保存部６のカラー用のファイルに保存するとともに、カラーの画像データを電子データに変換して画像データ保存部６の電子データ用のファイル１３に保存する。
【００３３】
また、読取操作ＵＩ２からカラーの画像データを出力するように指示された場合、図２（ｂ）と同様に、原稿読取部３においてカラーの画像データと白黒の画像データとを読み取り、カラーの画像データを画像データ保存部６の再印刷用のファイル１２に保存し、白黒の画像データを画像データ保存部６の白黒用のファイルに保存するとともに、読取操作ＵＩ２において白黒の画像データを電子データに変換すると選択した場合、白黒の画像データを電子データに変換して画像データ保存部６の電子データ用のファイル１３に保存し、読取操作ＵＩ２においてカラーの画像データを電子データに変換すると選択した場合、カラーの画像データを電子データに変換して画像データ保存部６の電子データ用のファイル１３に保存する。なお、白黒の画像データを電子データに変換する場合には、カラーの画像データとして画像パラメータ（例えば、色合い、濃度バランス等）を指定したとしても、電子データに変換する際に白黒表示に適当な画像パラメータを指定する。
【００３４】
また、読取操作ＵＩ２から解像度が６００ｄｐｉの画像データを出力する一方、解像度を１００ｄｐｉの電子データに変換するように指示された場合、図２（ａ）と同様に、原稿読取部３において読み取った解像度が６００ｄｐｉの画像データを画像データ保存部６の再印刷用のファイル１２に保存するとともに、６００ｄｐｉのオリジナルの画像データを１００ｄｐｉの電子データに変換して画像データ保存部の電子データ用のファイル１３に保存する。
【００３５】
次に、原稿読取部３で読み取った画像データを画像データ保存部６に保存する際に原稿読取／出力制御部４が行う処理手順について図３のフローチャートを参照して説明する。
【００３６】
原稿の読み取りを開始し（ステップＳ３０１）、読取操作ＵＩから画像データを出力する際の指定（例えば、サイズの変更、色の補正等）がある場合（ステップＳ３０２でＹＥＳ）、指定通り（指定する処理を行った）の画像データとオリジナル（指定する処理を行わない）の画像データとを読み取り（ステップＳ３０３）、読み取った指定通りの画像データとオリジナルの画像データとを保存し（ステップＳ３０４）、ステップＳ３０７に進む。
【００３７】
また、ステップＳ３０２において、読取操作ＵＩから画像データを出力する際の指定がない場合（ステップＳ３０２でＮＯ）、オリジナルの画像データを読み取り（ステップＳ３０５）、読み取ったオリジナルの画像データを保存し（ステップＳ３０６）、ステップＳ３０７に進む。
【００３８】
そして、電子データを保存する場合（ステップＳ３０７でＹＥＳ）、読取操作ＵＩから画像データを出力する際の指定（例えば、解像度の変換等）があるか否か確認する（ステップＳ３０８）。なお、ステップＳ３０７において、電子データを保存しない場合（ステップＳ３０７でＮＯ）、処理手順を終了する。
【００３９】
読取操作ＵＩから画像データを出力する際の指定がある場合（ステップＳ３０８でＹＥＳ）、オリジナルの画像データを指定通りに電子データに変換し（ステップＳ３０９）、電子データを保存し（ステップＳ３１０）、処理手順を終了する。
【００４０】
また、読取操作ＵＩから画像データを出力する際の指定がない場合（ステップＳ３０８でＮＯ）、オリジナルの画像データを電子データに変換し（ステップＳ３１１）、電子データを保存し（ステップＳ３１０）、処理手順を終了する。
【００４１】
図４は、原稿読取部３において読み取る画像データの保存条件を設定する際に読取操作ＵＩ２に表示される保存条件設定画面１８の一例を示す図である。
【００４２】
図４に示すように、原稿読取部３で原稿を読み取る際に、画像データの保存条件を保存条件設定画面１８で設定する。
【００４３】
例えば、図４においては、「する」１９を有効にし、「プリント」２０を有効にすることで、原稿読取部３で読み取ったオリジナルの画像データを保存することができる。また、「倍率１００％を保存」２１を有効にすることで、例えば、原稿に対して拡大・縮小またはＮｕｐ等の処理を行った画像データとは別に、原稿に対して拡大・縮小またはＮｕｐ等の処理を行わない、つまり等倍の画像データを保存することができる。また、電子データに変換する際のフォーマットとしてＴＩＦＦ（Ｔａｇｇｅｄ　Ｉｍａｇｅ　Ｆｉｌｅ　Ｆｏｒｍａｔ）の変換が指定できるとともに、解像度の指定も行うことができる。
【００４４】
ここで、ファイル操作ＵＩ８では、統一されたＵＩ画面の中において、原稿読取部３で原稿を読み取った際に画像データ保存部６に保存した再印刷用のファイルおよび各フォーマットに変換された電子データ用のファイルをリスト表示・サムネール表示およびファイル取得等することができる。
【００４５】
図５は、ファイル操作ＵＩ８に表示されるファイル一覧画面２２の一例を示す図である。
【００４６】
図５に示すように、ファイル一覧画面２２には複数のファイルがリスト表示されており、ユーザは所望のファイルをプリント、ダウンロード、ファイル変換、メール送信、編集等することができる。
【００４７】
例えば、図５においては、ファイル名「ｉｍａｇｅ１」が原稿読取部３で読み取った画像データが保存された再印刷用のファイルであり、「ｉｍａｇｅ２」〜「ｉｍａｇｅ５」のファイルは「ｉｍａｇｅ１」のオリジナルの画像データを各フォーマットに変換した電子データが保存された電子データ用のファイルである。
【００４８】
なお、本発明に係わる画像管理装置１は、図６に示すようなネットワーク２３を介して行う分散印刷システムにも適用することが可能である。スキャナ２４が読み取った画像データをプリンタ２５が印刷する際に、画像管理装置１が画像データを保存するとともに、画像データを電子データに変換して保存することで、クライアント２６が画像管理装置１に保存された電子データを取得して確認することができる。
【００４９】
従って、１回の読み取りにより、用紙上のＮｕｐ等の拡大・縮小の印刷結果と、それとは独立に正常なサイズ（原稿サイズ）の電子ファイルを得ることができる。
【００５０】
また、１回の読み取りにより、カラー印刷実行時に、同時に白黒の電子データを得ることができる。
【００５１】
また、１回の読み取りにより、印刷に必要な高画質なスキャンおよび印刷と、電子ファイルとしてコンピュータ等で表示できる画質の低い電子データを得ることができる。
【００５２】
また、読み取り指定時に、オリジナルデータ保存指定を行うことで、スキャン終了後にも保存ファイルから、スキャン時に指定した品質の電子ファイルあるいは、上記のような種々の設定の電子ファイルを追加の読み取りを行うことなしに取得することができる。
【００５３】
【発明の効果】
以上説明したように本発明によれば、ユーザの必要とする処理結果が１回のスキャン処理により取得することが可能という効果を奏する。
【図面の簡単な説明】
【図１】図１は、本発明に係わる画像管理装置１の機能的な構成の一例を示す図である。
【図２】原稿読取部３で読み取った画像データを画像データ保存部６に保存する際に原稿読取／出力制御部４が行う動作について説明する図である。
【図３】原稿読取部３で読み取った画像データを画像データ保存部６に保存する際に原稿読取／出力制御部４が行う処理手順を示すフローチャートである。
【図４】原稿読取部３において読み取る画像データの保存条件を設定する際に読取操作ＵＩ２に表示される保存条件設定画面１８の一例を示す図である。
【図５】ファイル操作ＵＩ８に表示されるファイル一覧画面２２の一例を示す図である。
【図６】分散印刷システムの概略構成の一例を示す図である。
【符号の説明】
１　　画像管理装置
２　　読取操作ＵＩ
３　　原稿読取部
４　　原稿読取／出力制御部
５　　出力部
６　　画像データ保存部
７　　ファイル管理部
８　　ファイル操作ＵＩ
９　　原稿
１０　　オリジナルの画像データ
１１、１６　　電子データ
１２　　再印刷用のファイル
１３　　電子データ用のファイル
１４　　サイズ変更した画像データ
１５　　等倍の画像データ
１７　　等倍用のファイル１７
１８　　保存条件設定画面
１９　　「する」
２０　　「プリント」
２１　　「倍率１００％を保存」
２２　　ファイル一覧画面
２３　　ネットワーク
２４　　スキャナ
２５　　プリンタ
２６　　クライアント
【図１】
2004112513.tif 000003
【図２】
2004112513.tif 000004
【図３】
2004112513.tif 000005
【図４】
2004112513.tif 000006
【図５】
2004112513.tif 000007
【図６】
2004112513.tif 000008